(57)【要約】【課題】  アンテナ装置の部品点数の削減及び組立工程の簡略化を図る。【解決手段】  通信回路が設けられたアンテナ装置１の基板に、当該基板内部に存在するように、該基板の一側端部から該基板の厚さ方向に直交する方向に形成された挿入用孔を設けると共に、この挿入用孔に、上記通信回路との間の電気的接続を図るための接点部を設ける。そして、基板の挿入用孔に、フレキシブル部材で形成されたアンテナエレメントを挿入することで、該アンテナエレメントと基板に設けられた通信回路とを上記接点部を介して電気的に接続すると共に、基板で挟持するかたちでアンテナエレメントを基板に固定して物理的に接続する。これにより、単層基板とアンテナエレメントとを接続するための特別な接続部品を不要とし、両者を接続するための構成や組立工程を大幅に簡略化することができる。【選択図】  図２
2006222793.tif 000002
【特許請求の範囲】
【請求項１】
アンテナエレメントと、
所定の電子回路が設けられた基板と、
上記基板内部に存在するように、該基板の一側端部から該基板の厚さ方向に直交する方向に形成された上記アンテナエレメントの挿入用孔と、
上記挿入用孔に設けられた、上記アンテナエレメントと上記基板に設けられている電信回路との間の電気的接続を図るための接点部とを有し、
上記基板の挿入用孔に上記アンテナエレメントを挿入することで、該アンテナエレメントと上記基板に設けられている電信回路とを上記接点部を介して電気的に接続すること
を特徴とするアンテナ装置。
【請求項２】
請求項１に記載のアンテナ装置であって、
上記接点部は、
上記アンテナエレメントの給電点と接続するための給電用接点部、
又は上記アンテナエレメントのグランド接続点と接続するためのグランド用接点部、
若しくは上記アンテナエレメントの給電点及びグランド接続点とそれぞれ接続するための給電用接点部及びグランド用接点部であること
を特徴とするアンテナ装置。
【請求項３】
請求項１又は請求項２に記載のアンテナ装置であって、
少なくとも上記基板の挿入用孔に挿入される上記アンテナエレメントの挿入端部は、該挿入用孔に設けられている上記接点部に乗り上げたうえで、さらに該挿入用孔の奥行き方向に挿入容易なように、テーパ状に切り欠き加工されていること
を特徴とするアンテナ装置。
【請求項４】
請求項１から請求項３のうち、いずれか一項に記載のアンテナ装置であって、
上記基板は多層基板であり、
上記挿入用孔は、上記多層基板を形成する所定の中間層を切り欠くことで形成されていること
を特徴とするアンテナ装置。
【請求項５】
無線基地局との間で無線通信を行う無線通信回路を有する無線端末装置において、
上記無線基地局との間で信号の送受信を行うアンテナエレメントと、
上記無線通信回路が設けられた基板と、
上記基板内部に存在するように、該基板の一側端部から該基板の厚さ方向に直交する方向に形成された上記アンテナエレメントの挿入用孔と、
上記挿入用孔に設けられた、上記アンテナエレメントと上記基板に設けられている無線通信回路との間の電気的接続を図るための接点部とを備えたアンテナ装置を有し、
上記アンテナ装置は、上記基板の挿入用孔に上記アンテナエレメントが挿入されることで、該アンテナエレメントと上記基板に設けられている無線通信回路とが、上記接点部を介して電気的に接続されるていること
を特徴とする無線端末装置。
【請求項６】
請求項５に記載の無線端末装置であって、
上記アンテナ装置の接点部は、
上記アンテナエレメントの給電点と接続するための給電用接点部、
又は上記アンテナエレメントのグランド接続点と接続するためのグランド用接点部、
若しくは上記アンテナエレメントの給電点及びグランド接続点とそれぞれ接続するための給電用接点部及びグランド用接点部であること
を特徴とする無線端末装置。
【請求項７】
請求項５又は請求項６に記載の無線端末装置であって、
上記アンテナ装置の、少なくとも上記基板の挿入用孔に挿入される上記アンテナエレメントの挿入端部は、該挿入用孔に設けられている上記接点部に乗り上げたうえで、さらに該挿入用孔の奥行き方向に挿入容易なように、テーパ状に切り欠き加工されていること
を特徴とする無線端末装置。
【請求項８】
請求項５から請求項７のうち、いずれか一項に記載の無線端末装置であって、
上記アンテナ装置の上記基板は多層基板であり、
上記アンテナ装置の上記挿入用孔は、上記多層基板を形成する所定の中間層を切り欠くことで形成されていること
を特徴とする無線端末装置。
【発明の詳細な説明】
【技術分野】
【０００１】
本発明は、例えば携帯電話機，ＰＨＳ電話機（PHS：Personal Handyphone System），通信機能を有するＰＤＡ装置（PDA：Personal Digital Assistant）等の無線端末装置に適用して好適なアンテナ装置、及びこのアンテナ装置を備えた無線端末装置に関し、特にアンテナと基板とを接続する際に必要とされていた接続部品を用いることなく、アンテナと基板とを安定して接続可能としたアンテナ装置、及びこのアンテナ装置を備えた無線端末装置に関する。
【背景技術】
【０００２】
従来、アンテナと基板とを接続する手段として、特開２００４−２２８７９０号の公開特許公報（特許文献１）に、アンテナ装置を展開した状態で当該アンテナ装置に所定値以上の外力が加えられた際に、アンテナ装置を当該筐体から離脱させて破損を防止するアンテナ離脱手段を備えたアンテナ装置が開示されている。
【０００３】
具体的には、このアンテナ装置の場合、筐体に突設された回転軸を挿通して把持し当該筐体に対してアンテナ装置を回動自在に支持する軸受け部と、当該軸受け部の一部を外方に切り欠いて形成した開口部とで上記アンテナ離脱手段を構成している。そして、アンテナ装置に過大な外力が加えられた際に、当該外力によって上記アンテナ離脱手段の開口部の間口が広がることで、回転軸の把持を開放してアンテナ装置を離脱させるようになっている。
【０００４】
【特許文献１】特開２００４−２２８７９０号公報（第５頁：図５）
【発明の開示】
【発明が解決しようとする課題】
【０００５】
ここで、回路等が実装された基板とアンテナとは、基板側に設けられたバネ部材やコネクタ端子、アンテナ側に設けられたバネ部材等の特別な接続用部品を用いて両者を電気的に接続する必要がある。
【０００６】
特許文献１に開示されているアンテナ装置の場合は、さらに多数かつ複雑な接続用部品及び構成が必要となり、上記筐体に突設された回転軸と基板とを電気的に接続するための接続用部品及び構成と、上記回転軸と上記アンテナ装置のアンテナ離脱手段とを電気的に接続するための接続用部品及び構成が必要となる。
【０００７】
このように特許文献１に開示されているアンテナ装置は、回路等が実装された基板とアンテナとを接続するための部品点数が多くなるため、構成も複雑化し、また、広い設置スペースを必要とする問題があった。
【０００８】
また、特許文献１に開示されているアンテナ装置の場合、筐体に突設された回転軸を上記軸受け部で回転自在に把持するようになっているため、アンテナ自体の移動量や移動頻度が多くなり、安定したアンテナ特性を得ることが困難となる問題があった。
【０００９】
本発明は、上述の課題に鑑みてなされたものであり、特別な接続用部品や設置スペースを殆ど必要とすることなく、回路等が実装された基板とアンテナとを接続可能とすることができるうえ、固定的に基板とアンテナとを接続することで、安定したアンテナ特性を得ることができるようなアンテナ装置及びこのアンテナ装置を備えた無線端末装置の提供を目的とする。
【課題を解決するための手段】
【００１０】
本発明に係るアンテナ装置は、上述の課題を解決するための手段として、
アンテナエレメントと、
所定の電子回路が設けられた基板と、
上記基板内部に存在するように、該基板の一側端部から該基板の厚さ方向に直交する方向に形成された上記アンテナエレメントの挿入用孔と、
上記挿入用孔に設けられた、上記アンテナエレメントと上記基板に設けられている電信回路との間の電気的接続を図るための接点部とを有する。
【００１１】
そして、上記基板の挿入用孔に上記アンテナエレメントを挿入することで、該アンテナエレメントと上記基板に設けられている電信回路とを上記接点部を介して電気的に接続する。
【００１２】
また、本発明に係る無線端末装置は、無線基地局との間で無線通信を行う無線通信回路を有する無線端末装置であって、上述の課題を解決するための手段として、
上記無線基地局との間で信号の送受信を行うアンテナエレメントと、
上記無線通信回路が設けられた基板と、
上記基板内部に存在するように、該基板の一側端部から該基板の厚さ方向に直交する方向に形成された上記アンテナエレメントの挿入用孔と、
上記挿入用孔に設けられた、上記アンテナエレメントと上記基板に設けられている無線通信回路との間の電気的接続を図るための接点部とを備えたアンテナ装置を有する。
【００１３】
そして、上記基板の挿入用孔に上記アンテナエレメントを挿入することで、該アンテナエレメントと上記基板に設けられている無線通信回路とを、上記接点部を介して電気的に接続する。
【発明の効果】
【００１４】
本発明は、基板の内部にアンテナエレメントの挿入用孔を設け、この挿入用孔にアンテナエレメントを挿入して両者を電気的及び物理的に接続する構成のため、基板とアンテナエレメントとを接続するための特別な接続部品を不要とすることができるうえ、両者を接続するための構成や工程を大幅に簡略化することができる。
【００１５】
また、基板とアンテナエレメントとを接続するための特別な接続部品を不要とすることができるため、従来、必要としていた両者の接続用部材の実装スペースを、他の部材を実装するスペースとして有効に利用可能とし、若しくは上記両者の接続用部材の実装スペースの分だけ、当該アンテナ装置を設ける機器或いは当該無線端末装置を小型化することを可能とすることができる。
【００１６】
また、基板に対してアンテナエレメントを物理的に固定して接続することができるため、該基板とアンテナエレメントとの電気的接点が移動することにより発生する周波数変動を防止することができ、安定したアンテナ特性を得ることができる。
【発明を実施するための最良の形態】
【００１７】
本発明は、携帯電話機に適用することができる。
【００１８】
［第１の実施の形態］
〔携帯電話機の全体構成〕
図１に、本発明の第１の実施の形態となる携帯電話機のブロック図を示す。この図１に示すように、当該第１の実施の形態の携帯電話機は、携帯事業者のコミュニケーションネットワークに接続された基地局との間でデータの送受信を行うアンテナ装置１及び通信回路２と、着信音，受話音声，動画ファイルの音声，音楽データの音声等の音声出力を得るためのスピーカ部３と、送話音声等を集音するマイクロホン部４と、発着信電話番号、送信元，送信先となるユーザの名前、電話や携帯メールの発着信履歴、電話帳，アドレス帳、スケジュール帳、送受信した携帯メールの文章等を表示する表示部５とを有している。
【００１９】
また、この携帯電話機は、所望の電話番号や文字の入力等を行うための複数のキーが設けられた操作部６と、所望の被写体の静止画及び動画を撮像するためのカメラ部７と、通信処理プログラム（コミュニケーションプログラム）の他、上記携帯メールやスケジュール帳等の情報処理を行うための各種アプリケーションプログラムが記憶されたＲＯＭ８と、上記電話や携帯メールの発着信履歴、発着信した携帯メールの本文、電話帳、アドレス帳、スケジュール帳等が記憶されたＲＡＭ９と、上記通信処理プログラムや各種アプリケーションプログラム等に基づいて当該携帯電話機の動作を制御する制御部１０とを有している。
【００２０】
〔アンテナ装置の構成〕
アンテナ装置１は、図２に示すように通信回路２が設けられた単層基板２１と、所定の共振周波数特性を有するアンテナエレメント２２と、このアンテナエレメント２２が固定されるモールド部材２３とを有している。
【００２１】
上記単層基板２１には、上記アンテナエレメント２２を電気的及び物理的に接続するための挿入用孔２５が設けられている。具体的には、この挿入用孔２５は、単層基板２１の一側端部２１ａから該単層基板２１の厚さ方向に直交する方向に形成されており、言わばこの単層基板２１の内部に存在するように設けられている。
【００２２】
この挿入用孔２５の大きさは、横幅がアンテナエレメント２２の横幅と略々同じ長さ、或いはアンテナエレメント２２の横幅よりも若干長めの長さとなっており、縦幅がアンテナエレメント２２の厚さと略々同じ長さ、或いはアンテナエレメント２２の厚さよりも若干長めの長さとなっている。すなわち、挿入用孔２５の大きさは、アンテナエレメント２２が挿入可能なように、アンテナエレメント２２と略々同じ大きさ、或いはアンテナエレメント２２よりも若干大きめとなっている。
【００２３】
この挿入用孔２５内には、アンテナエレメント２２と単層基板２１に設けられている通信回路２との間の電気的接続を図るための、銅板部材等の電気導通部材で形成された接点部２６が設けられている。この例の場合、この接点部２６は、アンテナエレメント２２の給電点（図４に符号２７として示す）に電気的に接続される接点部となっている。
【００２４】
なお、アンテナエレメント２２に対して別ラインで給電するようにし、上記接点部２６を、アンテナエレメント２２のグランド用端子に接続する接点部としてもよいし、上記接点部２６を２つ設け、一方をアンテナエレメント２２のグランド用端子に接続する接点部とし、他方をアンテナエレメント２２の給電点に接続する接点部としてもよい。
【００２５】
また、この接点部２６は、当該接点部２６の挿入口２５ａ側の先端部２６ａが、底面部２６ｂ側から上面部２６ｃ側にかけて迫り上がるかたちでテーパ状に切り欠き加工されている。
【００２６】
次に、アンテナエレメント２２は、図３（ａ）及び図３（ｂ）に示すようにフレキシブル部材で形成されており、或いは図３（ｃ）及び図３（ｄ）に示すように板金部材で形成されており、その先端部２２ａが、図２に示すように該アンテナエレメント２２の底面部２２ｂ側から上面部２２ｃ側にかけて迫り上がるかたちでテーパ状に切り欠き加工されている。
【００２７】
すなわち、上記接点部２６の先端部２６ａと、アンテナエレメント２２の先端部２２ａは、アンテナエレメント２２の先端部２２ａが上記接点部２６の先端部２６ａに当接した際に、少ない抵抗で該アンテナエレメント２２を挿入用孔２５に挿入可能なように、それぞれ前述の切り欠き加工が施されている。
【００２８】
〔アンテナ装置の組立工程〕
このようなアンテナ装置１は、アンテナエレメント２２の先端部２２ａを、単層基板２１の挿入用孔２５に挿入するだけで、図４に示すように単層基板２１とアンテナエレメント２２とが接続され、組み立てが完了するようになっている。
【００２９】
具体的には、単層基板２１の挿入用孔２５にアンテナエレメント２２の先端部２２ａの挿入を開始すると、まず、このアンテナエレメント２２の先端部２２ａと、挿入用孔２５に設けられた接点部２６の先端部２６ａとが当接する。この接点部２６は、図２に示したように挿入用孔２５の底面部２５ｂから突出するかたちで設けられているのであるが、アンテナエレメント２２の先端部２２ａ、及び接点部２６の先端部２６ａは、前述のようにそれぞれテーパ状に切り欠き加工されている。
【００３０】
このため、アンテナエレメント２２の先端部２２ａが接点部２６の先端部２６ａに当接した状態で、該アンテナエレメント２２に対して上記挿入用孔２５の奥行き方向の力を加えると、殆ど抵抗なくアンテナエレメント２２が接点部２６に乗り上げ、この接点部２６に乗り上げたままの状態で該アンテナエレメント２２が挿入用孔２５の奥まで導かれ、単層基板２１とアンテナエレメント２２との接続が完了する。
【００３１】
図５に、単層基板２１に接続されたアンテナエレメント２２の接続部分を拡大した断面図を示す。この図５に示すように、接点部２６は、単層基板２１の表面部に設けられた上記電子回路２と電気的に接続されており、アンテナエレメント２２が挿入用孔２５に挿入された際に、この接点部２６がアンテナエレメント２２の給電点２７に接触し、当該接点部２６を介して、アンテナエレメント２２と電子回路２とが電気的に接続されるようになっている。
【００３２】
また、前述のようにアンテナエレメント２２の挿入用孔２５に挿入される部分の大きさは、挿入用孔２５と略々同じ大きさ（同じ横幅及び同じ厚み、或いは若干大きめ）となっている。このため、挿入用孔２５に挿入されたアンテナエレメント２２は、挿入用孔２５により全体的に挟持されるかたちで単層基板２１に物理的に接続される。
【００３３】
しかも、アンテナエレメント２２は、挿入用孔２５の底面部２５ｂから突出するかたちで設けられている接点部２６に乗り上げた状態で該挿入用孔２５に挿入される。これにより、図５に示すように挿入用孔２５に挿入されたアンテナエレメント２２が、接点部２６の厚みにより挿入用孔２５の上面部２５ｃ側に押し上げられる状態となり、アンテナエレメント２２が単層基板２１に対して物理的にさらに強固に接続される。
【００３４】
〔第１の実施の形態の効果〕
以上の説明から明らかなように、この第１の実施の形態の携帯電話機は、単層基板２１の内部にアンテナエレメント２２の挿入用孔２５を設け、この挿入用孔２５にアンテナエレメント２２を挿入して、単層基板２１とアンテナエレメント２２とを電気的及び物理的に接続する構成のため、接続用の特別な接続部品を必要とすることなく、単層基板２１とアンテナエレメント２２とを接続することができるうえ、両者を接続するための構成や工程を大幅に簡略化することができる。
【００３５】
また、単層基板２１とアンテナエレメント２２とを接続するための特別な接続部品を不要とすることができるため、従来、必要としていた両者の接続用部材の実装スペースを、他の部材を実装するスペースとして有効に利用可能とし、若しくは上記両者の接続用部材の実装スペースの分だけ、当該携帯電話機の小型化を図ることができる。
【００３６】
また、単層基板２１とアンテナエレメント２２との接続部分は物理的に固定されるため、該単層基板２１とアンテナエレメント２２との電気的接点が移動することにより発生する周波数変動を防止することができ、安定したアンテナ特性を得ることができる。
【００３７】
［第２の実施の形態］
次に本発明を適用した第２の実施の形態の携帯電話機の説明をする。上述の第１の実施の形態の携帯電話機は、アンテナエレメント２２を接続する基板を「単層基板２１」としたものであったが、この第２の実施の形態の携帯電話機は、アンテナエレメント２２を「多層基板」に接続するようにしたものである。
【００３８】
なお、上述の第１の実施の形態と、この第２の実施の形態とでは、アンテナエレメント２２を接続する基板が「単層」であるか「多層」であるかのみ異なる。このため、以下の第２の実施の形態の説明では、この差異の部分の説明のみ行い、重複する説明は省略することとする。
【００３９】
〔第２の実施の形態の携帯電話機のアンテナ装置の構成〕
図６（ａ），（ｂ）に、この第２の実施の形態の携帯電話機に設けられているアンテナ装置の多層基板３０の構成を示す。この多層基板３０は、図６（ａ）に示す板状の第１〜第３の基板片３１〜３３を積層させ、図６（ｂ）に示すようにそれぞれ角部を合わせて張り合わせることで形成されている。
【００４０】
各基板片３１〜３３の全部、或いは一部の基板片には、設計に応じた電子回路が設けられており、この例の場合、一例として第３の基板片３３に上記電子回路２が設けられている。また、この第３の基板片３３には、上記電子回路２と電気的に接続された給電点用の接点部４１及びグランド用の接点部４２が設けられている。この各接点部４１，４２は、上述の接点部２６と同様にその先端部がテーパ状に切り欠き加工されている。
【００４１】
これに対して、第２の基板片３２は、一端部側の一部が略「コの字状」に切り欠き加工されている。この切り欠き加工の位置は、第２の基板片３２と当該第３の基板片３３とを張り合わせた際に、第２の基板片３２越しに該第３の基板片３３に設けられた各接点部４１，４２を露出させることが可能な位置となっている。
【００４２】
このような第１〜第３の基板片３１〜３３は、組み立て時に積層して張り合わせると、第２の基板片３２の上記切り欠き加工されている部分の上下部分が、それぞれ第１の基板片３１及び第３の基板片３３により蓋をされるかたちとなり、該切り欠き加工されている部分が、図６（ｂ）に示すようにアンテナエレメントの挿入用孔４５となる。
【００４３】
すなわち、この多層基板３０の場合、第１〜第３の基板片３１〜３３のうち、中間層となる第２の基板片３２に挿入用孔４５が設けられている。なお、この例の場合、多層基板３０を３層構造としたため、挿入用孔４５を中間層となる第２の基板片３２に設けることとしたが、例えば多層基板３０が４層以上の構造である場合、いずれかの中間層となる基板片に挿入用孔４５を設ければよい。また、多層基板３０が２層の構造である場合、各基板片の張り合わせ部分を削取する等して挿入用孔４５を設ければよい。
【００４４】
〔アンテナ装置の組立工程〕
このようなアンテナ装置も、上述の第１の実施の形態で説明したアンテナ装置１と同様に、アンテナエレメントの先端部を、多層基板３０の挿入用孔４５に挿入するだけで、図７（ａ），（ｂ）に示すように多層基板３０とアンテナエレメント５０とが接続され、組み立てが完了するようになっている。
【００４５】
具体的には、多層基板３０の挿入用孔４５にアンテナエレメント５０の先端部を挿入すると、まず、このアンテナエレメント５０の先端部と、挿入用孔４５に設けられた各接点部４１，４２の各先端部とが当接する。各接点部４１，４２は、挿入用孔４５の底面部から突出するかたちで設けられているのであるが、アンテナエレメント５０の先端部、及び各接点部４１，４２の先端部には、それぞれテーパ状の切り欠き加工が施されている。
【００４６】
このため、アンテナエレメント５０の先端部が各接点部４１，４２の先端部に当接した状態で、該アンテナエレメント５０に対して上記挿入用孔４５の奥行き方向の力を加えると、殆ど抵抗なくアンテナエレメント５０が各接点部４１，４２に乗り上げ、この接点部４１，４２に乗り上げたままの状態で該アンテナエレメント５０が挿入用孔４５の奥まで導かれ、多層基板３０とアンテナエレメント５０との接続が完了する。
【００４７】
図８に、多層基板３０に接続されたアンテナエレメント５０の接続部分を拡大した断面図を示す。この図８に示すように、挿入用孔４５に挿入されたアンテナエレメント５０は、各接点部４１，４２と電気的に接続されるようになっている。
【００４８】
また、アンテナエレメント５０の挿入用孔４５に挿入される部分の大きさは、挿入用孔４５と略々同じ大きさ（同じ横幅及び同じ厚み、或いは若干大きめ）となっている。このため、挿入用孔４５に挿入されたアンテナエレメント５０は、挿入用孔４５により全体的に挟持されるかたちで単層基板３０に物理的に接続される。
【００４９】
しかも、アンテナエレメント５０は、挿入用孔４５の底面部２５ｂから突出するかたちで設けられている各接点部４１，４２に乗り上げた状態で該挿入用孔４５に挿入される。これにより、挿入用孔４５に挿入されたアンテナエレメント５０が、各接点部４１，４２の厚みにより挿入用孔４５の上面部側に押し上げられる状態となり、アンテナエレメント５０が多層基板３０に対して物理的にさらに強固に接続される。
【００５０】
〔第２の実施の形態の効果〕
以上の説明から明らかなように、この第２の実施の形態の携帯電話機は、多層基板３０の中間層にアンテナエレメント５０の挿入用孔４５を設け、この挿入用孔４５にアンテナエレメント５０を挿入して、多層基板３０とアンテナエレメント５０とを電気的及び物理的に接続する構成のため、接続用の特別な接続部品を必要とすることなく、多層基板３０とアンテナエレメント５０とを接続することができるうえ、両者を接続するための構成や工程を大幅に簡略化することができる他、上述の第１の実施の形態の携帯電話機と同様の効果を得ることができる。
【００５１】
［変形例］
上述の実施の形態の説明では、本発明を携帯電話機に適用することとしたが、これは、ＰＨＳ電話機（PHS：Personal Handyphone System）や通信機能を有するＰＤＡ装置（PDA：Personal Digital Assistant）、或いは通信機能を有するノート型のパーソナルコンピュータ装置等の他の無線端末装置に適用してもよい。
【００５２】
最後に、上述の実施の形態は、あくまでも本発明の一例として開示したに過ぎない。このため、本発明は、上述の実施の形態に限定されることはなく、上述の実施の形態以外であっても、本発明に係る技術的思想を逸脱しない範囲であれば、設計等に応じて種々の変更が可能であることは勿論であることを付け加えておく。
【図面の簡単な説明】
【００５３】
【図１】本発明を適用した第１の実施の形態の携帯電話機のブロック図である。
【図２】第１の実施の形態の携帯電話機に設けられている単層基板のアンテナ装置の構成を示す図である。
【図３】第１の実施の形態の携帯電話機のアンテナ装置に設けられているアンテナエレメントを説明するための図である。
【図４】第１の実施の形態の携帯電話機のアンテナ装置のアンテナエレメントと単層基板との接続部分を拡大した断面図である。
【図５】第１の実施の形態の携帯電話機に設けられているアンテナ装置の単層基板にアンテナエレメントを装着した図である。
【図６】本発明を適用した第２の実施の形態の携帯電話機に設けられている多層基板のアンテナ装置の構成を示す図である。
【図７】第２の実施の形態の携帯電話機のアンテナ装置のアンテナエレメントと多層基板との接続部分を拡大した断面図である。
【図８】第２の実施の形態の携帯電話機に設けられているアンテナ装置の多層基板にアンテナエレメントを装着した図である。
【符号の説明】
【００５４】
１  アンテナ装置、２  通信回路、３  スピーカ部、４  マイクロホン部、５  表示部、６  操作部、７  カメラ部、８  ＲＯＭ、９  ＲＡＭ、１０  制御部、２１  単層基板、２１ａ  単層基板の一側端部、２２  アンテナエレメント、２２ａ  アンテナエレメントの先端部、２２ｂ  アンテナエレメントの底面部、２２ｃ  アンテナエレメントの上面部、２３  アンテナエレメントのモールド、２５  挿入用孔、２５ａ  挿入用孔の挿入口、２５ｂ  挿入用孔の底面部、２６  接点部、２６ａ  接点部の先端部、２６ｂ  接点部の底面部、２６ｃ  接点部の上面部、２７  アンテナエレメントの給電点、３０  多層基板、３１  多層基板の第１の基板片、３２  多層基板の第２の基板片、３３  多層基板の第３の基板片、４１  給電点接続用の接点部、４２  グランド接続用の接点部、４５  多層基板の挿入用孔、５０  アンテナエレメント
【図１】
2006222793.tif 000003
【図２】
2006222793.tif 000004
【図３】
2006222793.tif 000005
【図４】
2006222793.tif 000006
【図５】
2006222793.tif 000007
【図６】
2006222793.tif 000008
【図７】
2006222793.tif 000009
【図８】
2006222793.tif 000010